(57)【特許請求の範囲】
【請求項１】
壁取付け用の取付け板と、ランプが収容されるソケット収納部を有する器具本体と、を備え、壁面に取り付けられる照明器具であって、
前記取付け板は、前記器具本体を固定するための固定部材を備え、
前記器具本体は、前記固定部材によって前記取付け板を固定するための貫通穴が設けられた取付け部と、前記照明器具が正規方向に向けられて前記壁面に取り付けられたとき、少なくとも３方向の側面および上面に防水壁が設けられたソケット収納部を備え、
取付け穴が貫通して形成されると共に、前記器具本体の貫通穴の中心を通る垂直線上且つ前記貫通穴の上方位置に固定される段ねじに、自重によって回動自在に嵌合する取付け方向規制板を更に備え、
前記器具本体が正規方向に向けられたとき、前記器具本体の貫通穴と、前記取付け方向規制板の取付け穴とが一致することを特徴とする照明器具。
【発明の詳細な説明】
【技術分野】
【０００１】
本発明は照明器具に係り、例えば、玄関の軒先などの壁面に固定して使用される照明器具に関する。
【背景技術】
【０００２】
屋外などの壁面に固定して使用される従来の照明器具１としては、図１０に示すように、一方の面に開放面が形成されて略矩形箱型に形成された器具本体２と、この器具本体２の開放面を覆うように取り付けられる本体カバー３と、を備えるものが知られている。この器具本体２は、照明器具１が壁面に取り付けられたとき、上方、および側方となる側壁周縁に外方に張り出して形成された鍔部４を備えており、内部には、ランプ５を取り付けるソケット６、端子台７、電源線８を導入するための挿通穴が形成されたパッキン９などが収容されている。器具本体２は、器具本体２の底部２ａに設けられた壁取り付け用穴１０に木ねじ１１を挿通して壁に固定される。また、本体カバー３は、器具本体２の開放面を覆うように器具本体２の鍔部４に嵌合させ、下面３ａのねじ穴１３に挿通した取付けねじ１２によって器具本体２に固定される。これによって、器具本体２の内部、即ちランプ５などの構成部品は、上方から照明器具１内に浸入する水から本体カバー３によって保護されている。
【０００３】
また、器具そのものを防水構造とするだけでなく、上縁が傾斜辺として形成されたパッキンを、器具本体と壁面との間に配置して、壁面を流下する水が、器具本体内に浸入することを防止するようにした壁掛け電気器具の防水構造が知られている（例えば特許文献１参照）。
【特許文献１】実開平６−６０９２０号公報
【発明の開示】
【発明が解決しようとする課題】
【０００４】
ところで、図１０に示す照明器具１は、取付け時の上下方向が決められており、器具本体２を垂直方向に向けて設置することを前提として防水される構造となっているが、実際の壁への取り付け方向は任意の方向に取付け可能となっている。従って、誤って照明器具１を上下逆方向に向けて取り付けたり、水平に近い方向に取り付けると、上方から侵入する水を阻止することができないという不都合があった。また、特許文献１に記載の壁掛け電気器具の防水構造は、パッキンの上縁を傾斜させることによって、壁面を伝って流下する水を、パッキンの上縁から直ちに排水し、電気器具内への水の浸入防止を図っている。しかし、電気器具全体を防水するため、製作費が嵩みコストとなる問題があった。
【０００５】
本発明は、前述した問題点に鑑みてなされたものであり、その目的は、簡単且つ安価な機構によって、器具防水性能を満足させる照明器具を提供することにある。
【課題を解決するための手段】
【０００６】
前述した目的を達成するために、本発明は、壁取付け用の取付け板と、ランプが収容されるソケット収納部を有する器具本体と、を備え、壁面に取り付けられる照明器具であって、前記取付け板は、前記器具本体を固定するための固定部材を備え、前記器具本体は、前記固定部材によって前記取付け板を固定するための貫通穴が設けられた取付け部と、前記照明器具が正規方向に向けられて前記壁面に取り付けられたとき、少なくとも３方向の側面および上面に防水壁が設けられたソケット収納部を備え、取付け穴が貫通して形成されると共に、前記器具本体の貫通穴の中心を通る垂直線上且つ前記貫通穴の上方位置に固定される段ねじに、自重によって回動自在に嵌合する取付け方向規制板を更に備え、前記器具本体が正規方向に向けられたとき、前記器具本体の貫通穴と、前記取付け方向規制板の取付け穴とが一致することを特徴としている。
【０００７】
ここで、固定部材としては、例えば取付け板に固定されたスタッドボルトや取付けねじ等を例示できる。
【０００８】
このように構成された照明器具においては、取付け方向規制板が、器具本体の貫通穴の垂直線上、且つ上方に固定された段ねじに嵌合し、自重によって回動自在とされて取り付けられている。従って、取付け方向規制板に形成された取付け穴は、常に段ねじの垂直下方に位置するので、器具本体が正規の方向である垂直方向に向けられたときにのみ、取付け方向規制板の取付け穴と、器具本体の貫通穴とが一致する。
【０００９】
これにより、器具本体が、正規の方向である垂直方向に向けられたときにのみ、スタッドボルトや取付けねじなどの固定部材を挿通させることが可能となり、器具本体を取付け板に取り付けることができる。換言すれば、器具本体が垂直方向に向いていないときには、取付け方向規制板の取付け穴と、器具本体の貫通穴とが一致しておらず、スタッドボルトや取付けねじなどを挿通させることができず、器具本体の取付けが阻止される。
【００１０】
これにより、作業者に頼ることなく、器具本体が確実に正規の方向（垂直方向）に向けられた状態での壁面設置を保証することができ、上方から照明器具内へ侵入しようとする水を効果的に防止することができる。
【発明の効果】
【００１１】
本発明によれば、従来のような器具本体の設置方向を、作業者の注意力に依存するという問題を解消でき、これにより器具本体を確実に正規の方向（垂直方向）に向けて設置することができ、上方からの水の侵入を効果的に防止することができるという効果が得られる。
【発明を実施するための最良の形態】
【００１２】
以下、本発明に係る実施形態を図面に基づいて詳細に説明する。図１は本発明に係る照明器具の縦断面図、図２は図１に示す照明器具の下面図、図３は図１に示す取付け板の正面図、図４は器具本体の裏面図、図５（ａ）は図１における円Ａで囲まれた部分の拡大図、（ｂ）は図５（ａ）におけるＢ矢視図である。
【００１３】
なお、以下の説明においては、正規の方向（垂直方向）に向けて取り付けられた照明器具を基準として上下左右を定義する。
【００１４】
図１および図２に示すように、本発明の照明器具２０は、壁取付け用の取付け板２１と、器具本体２２と、カバー２３とを、主に備える。器具本体２２は、取付け板２１によって壁面２４に固定される。
【００１５】
図３も参照して、取付け板２１は、縦長長方形の金属薄板の両側端が、直角に折り曲げられて断面略コの字形に形成されている。長手方向の両端には、器具本体２２を固定するための固定部材であるスタッドボルト２５が溶接などによって立設されている。また、長手方向の略中央付近には、電源コード挿通穴２６が設けられている。この電源コード挿通穴２６の周縁は、内側（図３において紙面と直角方向）に向かって立設する周壁２６ａがバーリング加工によって形成されている。また、電源コード挿通穴２６の両側には、ねじ穴２７が設けられた取付け補助板２８が固定されている。また、取付け板２１には、取付け板２１の設置方向を指示する指示書５５が貼付されている。
【００１６】
取付け板２１は、パッキン３０を介して、２本の取付け板固定ねじ３１によって壁面２４に固定される。パッキン３０には、電源コード挿通穴２６に対応する位置に、電源コード穴２９が明けられている。
【００１７】
図１、図４および図５に示すように、器具本体２２は、縦長長方形板状の底部３２と、該底部３２の４辺から立設形成された周壁３３とを備える箱状に形成されており、例えば、合成樹脂の射出成形によって形成される。器具本体２２は、照明器具２０を壁面２４に取り付けたとき上方となる側に、ソケット収納部３４が形成されている。ソケット収納部３４は、底部３２に明けられた角穴３５の上縁部から延設された天板３６と、角穴３５の左右縁部から延設された断面コの字形の側壁３７とによって画成される。これにより、ソケット収納部３４は、上方および少なくとも３方の側方が、防水壁として機能する天板３６および側壁３７によって覆われており、ソケット収納部３４の下面および底部３２側が開放されている。
【００１８】
器具本体２２の底部３２には、略円形の一対の取付け部３８が取付け板２１方向に突出して形成されている。それぞれの取付け部３８には、取付け板２１のスタッドボルト２５に対応して貫通穴３９が設けられている。下方の取付け部３８には、取付け方向規制板４０のねじ穴４１に嵌合する段ねじ４２によって、取付け方向規制板４０が自重によって回動自在に配設されている。
【００１９】
即ち、取付け方向規制板４０は、ねじ穴４１の中心に対する取付け方向規制板４０の重心位置に依存して、時計方向または反時計方向に自重により回動する。段ねじ４２は、取付け部３８の貫通穴３９の中心を通る垂直線ＶＬ上且つ、貫通穴３９から所定の距離Ｘだけ上方に位置して、取付け部３８に形成された雌ねじに螺合している。また、取付け方向規制板４０には、ねじ穴４１から所定の距離Ｘだけ離間して取付け穴４３が貫通して形成されている。これにより、取付け方向規制板４０の取付け穴４３と、器具本体２２の貫通穴３９とは、器具本体２２が垂直方向に向けられたときにのみ一致する。また、取付け穴４３の直径は、貫通穴３９の直径より大きい。
【００２０】
ソケット収納部３４には、略Ｌ字型のソケット固定板４５が、その一端を角穴３５からソケット収納部３４内に突出させて固定されている。これにより、ソケット収納部３４の開口部である角穴３５は、ソケット固定板４５によって閉鎖される。ソケット固定板４５には、ソケット４７がランプ装着口４７ａを下方に向けて固定されている。ランプ装着口４７ａには、ランプ４６が装着される。また、ソケット固定板４５には、電気的にソケット４７に接続されている端子台４８が固定されている。
【００２１】
また、図１および図２に示すように、器具本体２２の両端には、略Ｖ字型に形成されたカバーホルダ５０が固定され、このカバーホルダ５０にカバー２３がねじ５１によって固定されている。カバー２３は、樹脂によって形成された透明あるいは半透明の円弧板状部材であり、器具本体２２の前面をカバーしている。照明器具２０の上下および左右方向は、外部に開放されている。
【００２２】
次に、本発明の照明器具２０の壁面２４への取り付けについて説明する。
先ず、図１に示すように、取付け板２１と壁面２４との間にパッキン３０を配置し、取付け板２１を２本の取付け板固定ねじ３１によってパッキン３０を介して壁面２４に固定する。次いで、図示しない電源コードをパッキン３０の電源コード穴２９、取付け板２１の電源コード挿通穴２６から引き出して、器具本体２２の端子台４８に接続する。
【００２３】
電源コードが接続された器具本体２２を、取付け板２１の方向に合わせて配置し、取付け板２１のスタッドボルト２５を、取付け方向規制板４０の取付け穴４３、および器具本体２２の貫通穴３９に挿通させ、取付け部３８に突出するスタッドボルト２５に袋ナット４９を螺合させて器具本体２２を取付け板２１に固定する。
【００２４】
このとき、図６に示すように、器具本体２２の方向が正規の方向に向けられて、具体的には、ソケット収納部３４の開放面が下方に向けられて、更にはソケット４７のランプ装着口４７ａが下方に向けられて配置されると、取付け方向規制板４０が自重によって回動して、取付け方向規制板４０の取付け穴４３と器具本体２２の貫通穴３９とが一致する。これによって、スタッドボルト２５を支障なく取付け方向規制板４０の取付け穴４３と器具本体２２の貫通穴３９に挿通することができ、器具本体２２の固定が可能となる。
【００２５】
一方、図７に示すように、器具本体２２が正規の方向に対して左に９０°回転した状態にあると、取付け方向規制板４０が、取付け方向規制板４０のねじ穴４１に嵌合する段ねじ４２を中心として自重によって時計方向に回動するので、取付け方向規制板４０の取付け穴４３が器具本体２２の貫通穴３９より下方に位置して一致せず、スタッドボルト２５の挿通が阻止される。これにより、器具本体２２が、誤った方向に取り付けられることがない。
【００２６】
同様に、図８に示すように、器具本体２２が正規の方向に対して１８０°回転した状態にあると、取付け方向規制板４０が自重によって回動して、取付け方向規制板４０の取付け穴４３と、器具本体２２の貫通穴３９とが一致せず、器具本体２２の取付けが阻止される。この場合、取付け方向規制板４０の回動方向は一定方向ではなく、そのときの取付け方向規制板４０に嵌合する段ねじ４２に対する取付け方向規制板４０の重心位置によって時計方向または反時計方向に回動する。いずれの方向に回転した場合にも、取付け方向規制板４０の取付け穴４３と、器具本体２２の貫通穴３９とが一致することはない。
【００２７】
更に、図９に示すように、器具本体２２が正規の方向に対して右に９０°回転した状態にあると、取付け方向規制板４０が、自重によって段ねじ４２を中心として反時計方向に回動し、取付け方向規制板４０の取付け穴４３が、器具本体２２の貫通穴３９より下方に位置して一致せず、スタッドボルト２５を挿通させることができず、器具本体２２の取付けが阻止される。
【００２８】
なお、上記説明では、器具本体２２が正規の方向に対して９０°、または１８０°回転した状態について説明したが、器具本体２２が僅かに傾いた状態でも、取付け方向規制板４０の取付け穴４３と器具本体２２の貫通穴３９とには芯ずれが生じて、器具本体２２の取付けが阻止され、器具本体２２の正規の方向（垂直方向）に向いた取付けが保証される。
【００２９】
正規の方向（垂直方向）に向けて取付け板２１に取り付けられた器具本体２２には、ソケット４７のランプ装着口４７ａにランプ４６が装着される。そして、略Ｖ字型に形成されたカバーホルダ５０にカバー２３をねじ５１によって固定して、照明器具２０の壁面２４への取り付けが完了する。
【００３０】
上記したように、本発明の照明器具２０によれば、取付け方向規制板４０の取付け穴４３が常に垂直線ＶＬ上に位置しているので、取付け方向規制板４０の取付け穴４３と、器具本体２２の貫通穴３９との一致を確認することによって、器具本体２２の僅かな傾きも検出することができる。これによって、照明器具２０を確実に正規の方向（垂直方向）を向けて取り付けることができる。
【００３１】
また、取付け方向規制板４０は、器具本体２２の裏側（器具本体２２の底部３２と取付け板２１との間）に配置されているので、取付け作業中に作業者が誤って取付け方向規制板４０に触れる可能性が排除され、これによっても器具本体２２の取付け姿勢（垂直方向）が確保される。
【００３２】
上記したように、本発明の照明器具２０によれば、従来の照明器具のように、設置方向が作業者の注意力に依存するという問題を解消でき、照明器具２０を確実に正規の方向（垂直方向）に向けて設置して、上方からの水の侵入を確実に防止することができる。
【００３３】
なお、本発明の照明器具は、前述した実施形態に限定されるものでなく、適宜な変形，改良等が可能である。
【００３４】
例えば、前述した実施形態において、固定部材としてスタッドボルトと袋ナットを例示したが、これに限定されるものではなく、取付け板２１に雌ねじを形成しておき、つまみねじなどの雄ねじを、器具本体２２の貫通穴３９、および取付け方向規制板４０の取付け穴４３に挿通して取付け板２１の雌ねじに螺合させるようにしてもよい。
【００３５】
その他、前述した実施形態において例示した取付け板、ランプ、ソケット収納部、器具本体、照明器具、固定部材、器具本体の貫通穴、取付け部、防水壁、ソケット収納部、取付け方向規制板の取付け穴、段ねじ、取付け方向規制板、等の材質，形状，寸法，形態，数，配置個所等は本発明を達成できるものであれば任意であり、限定されない。
【図面の簡単な説明】
【００３６】
【図１】本発明に係る照明器具の断面図
【図２】図１に示す照明器具の下面図
【図３】図１に示す取付け板の正面図
【図４】器具本体の裏面図
【図５】（ａ）は図１における円Ａで囲まれた部分の拡大図、（ｂ）は図５（ａ）におけるＢ矢視図
【図６】器具本体が正規方向に配置されたとき、器具本体の貫通穴と取付け方向規制板の取付け穴とが一致する状態を示す図
【図７】器具本体が正規方向から左９０°回転して配置されたとき、器具本体の貫通穴と取付け方向規制板の取付け穴との位置関係を示す図
【図８】器具本体が正規方向から１８０°回転して配置されたとき、器具本体の貫通穴と取付け方向規制板の取付け穴との位置関係を示す図
【図９】器具本体が正規方向から右９０°回転して配置されたとき、器具本体の貫通穴と取付け方向規制板の取付け穴との位置関係を示す図
【図１０】従来の照明器具の分解斜視図
【符号の説明】
【００３７】
２０  照明器具
２１  取付け板
２２  器具本体
２５  スタッドボルト（固定部材）
３４  ソケット収納部
３６  天板（防水壁）
３７  側壁（防水壁）
３８  取付け部
３９  器具本体の貫通穴
４０取付け方向規制板
４２  段ねじ
４３  取付け方向規制板の取付け穴
４６  ランプ
【図１】
0005078093.tif 000002
【図２】
0005078093.tif 000003
【図３】
0005078093.tif 000004
【図４】
0005078093.tif 000005
【図５】
0005078093.tif 000006
【図６】
0005078093.tif 000007
【図７】
0005078093.tif 000008
【図８】
0005078093.tif 000009
【図９】
0005078093.tif 000010
【図１０】
0005078093.tif 000011